【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
音声をマイクで集音して増幅してフィルターで音声の高調波と余分な除去するとアナログ／ディジタルコンバーターで数値化し音声情報を定義処理回路で音声文字化と発音の間違い等の訂正の為の、タッチパネルディスプレイ等で手書入力情報と文章の訂正の為カーソルキーや削除キー、数字や記号他キー等を設けてもよい、そしてタッチパネルディスプレイにても文章上の必要な例えば句読等のキー等を表示して、タッチして設定してもよい、更に、前述の音声入力情報と手書入力情報とキー入力情報との組合で中央処理演算部を動作させ、ディスプレイ画面に表示し、更に機械等を制御も出来る。
【請求項２】
各種ソフトウエアのインストール又はソフトウエアの設定の従来のキーボード操作の手順又は手続等のディジタル符号を記憶素子等に記憶させ、インストール又は設定の手続手順のキー操作即ちディジタル符号を論理回路を通して中央処理演算部からタッチパネルディスプレイに表示も出来る。
【手続補正２】
【補正対象書類名】明細書
【補正対象項目名】全文
【補正方法】変更
【補正の内容】
【発明の詳細な説明】
【発明の名称】音声入力パソコン装置
【技術分野】
【０００１】
本発明は、キー操作を出来るだけ少なくし、簡易に誰でも、音声、タッチパネルディスプレイ、一部キー操作で情報を入力できる音声入力補助装置に関する。
【０００２】
音声入力パソコン装置として、音声入力情報を単音毎に処理する定義処理とタッチパネルディスプレイに依る単音毎の平仮名又はカタカナ等の文字に依る手書入力情報処理する定義処理と、その情報を処理する中央演算処理部からディスプレイ部にて表示し、更に機械等も制御できる。
【背景技術】
【０００３】
音声入力パソコン装置として、例えば手書き文字の視覚情報の入力を受け付ける視覚情報入力面、音声の聴覚情報の入力を受け付ける聴覚情報入力部、入力された視覚情報を認識する視覚情報認識部、入力された情報の認識結果を表示する表示画面とを備えた情報入力装置がある（例えば、特許文献１）。
【０００４】
また、コンピュータ等に対して今迄の音声入力は、音声をフィルター等に通して、単純化し、アナログ／ディジタル変換し、それをパターン認識し、単音を文字とし、一語の文字をワードプロセッサソフトで単語の使用頻度を確率計算して、音声を文字変換し同時に文章にしていた。
【特許文献１】特開平８−８３０９２号公報（１頁〜１０頁、第１図〜第４図）
【発明の開示】
【発明が解決しようとする課題】
【０００５】
前記特許文献に記載された、電子回路では一つのコンピュータチップで音声文字化と、ワープロソフト、又は各種ソフトに一つのソフト毎に音声文字化プログラムを設ける必要があった、又単音毎の無音に近い短い時間で音声文字化と共に、一種のワープロソフトを組合になる物が全部に近い、これにより高速コンピュータチップを必要とする。
【０００６】
これに対して当該特許電子回路では音声文字化定義処理回路で音声文字化を行い、ワープロソフト又は各ソフトでは従来のソフトを使用できる、そして単音の無音に近い句間で区切って定義処理回路にて音声文字化を行う為、単音の無音に近い句間で音声文字化とワープロソフトを別々に行う事に依り、処理時間を遅くできる事に依り音声文字化だけのソフトウエア即ち数値化パターン認識と、従来のワープロソフトが使用できる、更に低速処理が可能に成る。
【０００７】
これ迄各種ソフトウエアの設定やインストールを行うに際してキーボード操作でソフトウエアの設定やインストール等を行ってきたが、キーボード操作の設定やインストール手続手順に伝えるディジタル符号の発信に依って、ソフトウエアの設定やインストールを行ってきたが従来のキーボード操作に依って発信するディジタル符号を記憶素子に記憶させ、キーボード操作と同様のディジタル符号を記憶素子から発信させ、ソフトウエアの設定やインストールの自動化を可能にできる。
【課題を解決するための手段】
【０００８】
請求項１に記載の発明は、音声をマイクで集音して増幅してフィルター等で音声情報を定義処理回路、例えば簡易コンピュータで音声文字化と同音異語、吃音等の訂正の為の、タッチパネルディスプレイ等で手書入力情報と文章の訂正の為のカーソルキーと削除キー、文章上の必要な記号キーを設けてもよい、そしてタッチパネルディスプレイにても文章の必要な例えば句読点等のキー等を表示し、タッチして指定してもよい、更に、前述の音声入力情報と手書入力情報とキー入力との組合せで中央処理演算部を動作させ、ディスプレイ画面に表示し、更に機械等をも制御も出来る。
【０００９】
請求項１の発明の音声入力補助装置は、音声入力情報とタッチパネルディスプレイに依る手書入力情報とタッチパネルディスプレイ画面変更による文章上の句読点等と更に必要とするもの即ちカッコ、スラッシュ、他を表示してタッチして指定入力情報としてよいし、キーからの入力情報として句読点他を設けてもよい。
【００１０】
この請求項１に記載の音声入力文字化回路に依る音声文字入力の情報とタッチパネルディスプレイに依る手書の入力情報と数字キー、機能キー等に依る各種情報を定義処理回路で一つの文字として中央処理演算部で処理して、例えばワープロソフトにより平仮名、カタカナ、ローマ字を通常の例えば日本語ワープロソフトで平仮名、漢字を混えた文章になり、そして更に機器等をも制御できる命令語として使用できる。
【００１１】
前記の様に音声情報と手書情報と数字キー、各種キーと機能キーによってタッチパネルディスプレイの機能を変える事に依り各種の情報の入力が出来る。
【００１２】
請求項２に記載の発明は、各種ソフトウエアのインストール又はソフトウエアの設定の従来のキー操作の手順又は手続等のディジタル符号を記憶素子等に記憶させ、インストール又は手続手順のキー操作即ちディジタル符号を論理回路を通して中央演算処理部と論理回路からタッチパネルディスプレイに表示も出来る。
【００１３】
請求項２の発明による記憶素子には、各種ソフトウエアのインストールや設定の為のディジタル符号即ち各種ソフトウエアのインストール、設定の為の、従来のキーボード操作により発信するであろうディジタル符号を記憶し、各種ソフトウエアのインストールや設定の為のディジタル符号を論理回路を通して中央演算処理部とやり取りし各種ソフトウエアのインストールや設定手続手順通り発信し作動する。
【００１４】
タッチパネルディスプレイによる機能キーは、タッチパネルディスプレイ機能変更キー、ワープロソフト実行に伴う無変換、変換実行などのキーとカーソルを動かす上下左右のカーソルキーなどで構成できる。
【００１５】
タッチパネルディスプレイは、複数の機能を持ち、タッチパネルディスプレイ機能変更キーを押す回数で１回又は２回などで表示と機能が変更される。また、タッチパネルディスプレイの初期画面上はポインター移動の為の指先など感圧検知し、移動させ、更に１回押せば、削除、挿入などの複数の感圧検知キー選択スイッチとして機能する。更に機能変更キーを複数回押せば記号等複数の表示が出来、指などで感圧検知選択キーとして機能する。
【発明の効果】
【００１６】
以上の説明から明らかなように、本発明にあっては次に列挙する効果が得られる。
【００１７】
請求項１の音声文字化を実行するには、マイクにて集音してアンプにて増幅して、アナログ／デジタルコンバーターにて数値化して定義処理にて、例えばあ・い・う・え・おの（あ）を数値化して単音パターンを定義処理して認識して単音毎の出力として、中央処理演算部にて、各種ソフト例えばワープロソフトに従って平仮名、カタカナを漢字変換できる、又単音毎の変換により各種ソフトの命令語も同様に入力できる、発音の同音異語、吃音等に対して、タッチパネルディスプレイにて、手書入力して訂正でき、そしてタッチパネルの機能を機能キーにて変更できる、従って音声文字化が出来る事によりキーボード操作を出来るだけ少なく出来る。
【００１８】
請求項２の各種ソフトウエアのインストール又は設定の従来のキーボード操作の手順又は手続等のディジタル符号を記憶素子等に記憶させ、インストール又は設定の手続手順のキーボード操作、即ちディジタル符号を論理回路を通して、中央演算処理部と論理回路から記憶素子に記憶させている、ソフトウエアのインストール又は設定のキーボード操作のディジタル符号を論理回路を通して、やり取りする事に依り、各種ソフトウエアのインストール又は設定の自動化が出来る、そしてタッチパネルディスプレイにソフトウエアのインストール又は設定の途中の経過を表示できる、従ってソフトウエアのインストールや設定の自動化が出来る。
【発明を実施するための最良の形態】
【００１９】
以下、図面に示す発明を実施するための最良の形態により、本発明を詳細に説明する。
【実施例１】
【００２０】
図１は音声文字化の為の電子回路、ブロック図である、音声を集音して入力するとマイク１と音声を増幅するアンプ２と音声の余分な成分を除去する、具体的には余分な高調波他等を除去するフィルター３と、単純化して音声成分即ちアナログ音声情報をアナログ／ディジタルコンバーター４にて数値化即ちディジタルを定義処理回路５にて単語毎に文字化し入出力部６を経て中央演算処理部７にて例えば従来のワープロソフトに従って文章に成る、又各種ソフトの例えばＣＡＤ命令語も同様な手順で命令語に成る、更に同音異語、吃音等に対処する為、タッチパネルディスプレイ９にて手書入力が出来、これも定義処理回路５にて手書入力文字情報とし更に数字キーボタン、記号他８ａ等は発声入力よりもキーボタン操作入力の方が早く出来る為にキーボタン８ａとして構成して、入出力部６を経て中央演算処理部７を経てディスプレイ１０にて表示する、又はタッチパネルディスプレイ９にも表示出来る。
【００２１】
請求項２の発明の最良の形態を示す図２は、音声文字化回路と手書入力情報回路とキーボタン入力回路即ち論理回路１１と定義処理コンピュータとで構成してＯＳソフトウエア、各種ソフトウエアのインストール又は設定の為の、従来のキーボタン操作に依るディジタル符号信号を、各種ソフトウエアのインストール及び設定の手続手順即ちキーボタン操作の手順を記憶素子１２に記憶させ、記憶素子１２より実行キーより論理回路１１を通して記憶素子１２よりＯＳソフトウエア、各種ソフトウエアのインストール又は設定の従来のキーボタン操作によるディジタル符号を各種ソフトウエアのインストラクションマニュアル通りに記憶素子１２に実行キーより論理回路１１を通して記憶素子１２にディジタル符号出力命令を出力し、記憶素子１２と論理回路１１を通して入出力回路６を通じ、中央処理演算部７とコンピュータ記憶部に書込み、消去命令する、そしてディスプレイ１０に表示、機器１３等を制御できる。
【００２２】
更に、情報を入力するキーボタン操作入力を構成する数字キー記号他８ａなどで数値を入力し、実行キーボタン入力しディスプレイ１０に表示又は指定して中央演算処理部７に指令を出し、制御される、機械、電気製品等の機器１３を制御作動させる。
【００２３】
更に、情報を入力するキーボタン操作入力を構成するタッチパネルディスプレイ機能変更ボタン８ｂにて機能変更表示し特殊な記号、数字、物理、科学などの記号を表示し、更に数字キーボタン８ａなどで数字他記号他を入力する、そして指などの押圧を感圧検知して。指定し機能指令を中央演算処理部７にて処理演算して、制御される機械、電気製品等の機器１３などに指定、指令通りの動作をさせる事が出来る。
【００２４】
又小文字などはカーソルキー１５にてディスプレイ１０の文章中の目的の語に指定して小文字に直す。更に吃音、イントネーション、リズムパターンなどに対応し、タッチパネルディスプレイ９の機能変換キー８ｂにて、指などタッチパネルディスプレイ９に押圧し感圧検知して、手書入力などが出来る。更に同音異語など対してタッチパネルディスプレイ９の機能変換キー８ｂにて機能変更し、手書入力若しくはディスプレイ１０の同音異語の例えば漢字等に対して、カーソルキーボタン１５にて、同音異語を指定して、ワープロソフトの辞書に、変換などのキーボタン８ｅにて辞書にして、辞書の中から指定して、本来の漢字に直し訂正することが出来る、そして発音の間違い等と誤変換等の、文章の訂正等も、カーソルキーボタン１５で指定してタッチパネルディスプレイ９にて削除キーボタン、又は挿入キーボタンを表示して実行しても良く、タッチパネルディスプレイ９ではなく、外にキーボタンを設けても良い。
【００２５】
そして、このタッチパネルディスプレイ９は機能変更キー８ｂボタンの予め決められた回数を押すと、ディスプレイ１０のポインターなどの移動にも使用でき、タッチパネルディスプレイ９上を指で擦り指の移動量と上下左右を認識して入出力部６を経て中央演算処理部７にて演算処理し、ポインターがディスプレイ３０の画面上を上下左右に移動して、目的のアイコンにして実行キー８ｃを押せばクリック実行できる。
【００２６】
次に図３を用いて図２の各種ソフトウエアのインストールや設定のキーボタン操作の手続手順を記憶した記憶素子１１の挿入接続部１８を示し、各種ソフトウエアのインストールや設定の為の実行キーボタン８ｃにて実行される。
【００２７】
図１のディスプレイ１０をタッチパネルディスプレイとして図３のタッチパネルディスプレイ９として図３のタッチパネルディスプレイ９を無くしディスプレイ１０をタッチパネルディスプレイとしても同様の操作も出来る、この場合ディスプレイ１０をタッチパネルディスプレイとする時手書入力のパターン認識を中央演算処理部７で手書文字入力を認識処理する。
【実施例２】
【００２８】
図３は音声入力補助装置の上面部である、以下添付図面３に基づいて、図１の音声入力補助装置を詳細に説明する、マイク１にて音声集音して、アンプ２、フィルター３を経てアナログ／ディジタルコンバーター４を経て数値化して定義処理５にて単音毎に音声文字化して、通信線１４を介して更に入出力６を経て、中央演算処理部７にて、単音毎の文字を例えば日本語ワープロソフト等で、平仮名、カタカナ、漢字に変換する為の無変換／変換キーボタン８ｄで無変換／変換を行い、同音異語や吃音に対してはタッチパネルディスプレイ９にて手書入力を実行キーボタン８ｃにて行い言い回し等の小文字キーボタン８ｅで小文字変換もできる、そして各種ソフトウエアの設定やインストール等の記憶素子１１の接続挿入口１８と論理回路１１とを経て入出力６と中央演算処理部７とディスプレ１０を結ぶ通信線１４で構成し、更に文章上の訂正の為のカーソルキーボタン１５とタッチパネルディスプレイ９の機能を変更して、削除挿入の入力実行キーボタンとしても利用でき、そして電源スイッチ１６、電源電線１７などで構成している。
【００２９】
このタッチパネルディスプレイ９は機能変換キー８ｂの予め決められた回数を押すと、ディスプレイ１０画面上のポインタなどの移動にも使用でき、タッチパネルディスプレイ９上を指で擦り、指の運動量と上下左右を認識して入出力６を経て中央演算処理部７にて処理して、ポインターがディスプレイ１０の画面上を上下左右に移動して、目的のアイコンに実行キー８ｃを押せばクリック実行できる。
【００３０】
次に図３を用いて図１・図２の音声入力補助装置を添付図面に基づいて説明する、この音声入力補助装置の操作部には、マイク１、タッチパネルディスプレイ９、数字キー他記号等８ａ、機能変更キー８ｂ、実行キー８ｃ、無変換／変換キーボタン８ｄ、小文字キー８ｅ、カーソルキー１５、電源スイッチ１６を有し、電源コード１７で電源を接続され、通信線１４により制御部及びディスプレイ１０に接続される。
【図面の簡単な説明】
【００３１】
【図１】本発明を実施するための最良の第一の形態の音声文字化入力とタッチパネルディスプレイの組合せのブロック図
【図２】本発明を実施するための最良の第一の形態の変形の音声文字化入力とタッチパネルディスプレイに依るものと各種ソフトウエアのインストール又は設定のためのブロック図
【図３】本発明を実施するための最良の第一の形態の機械部上面図である。
【符号の説明】
【００３２】
１  マイク
２  アンプ
３  フィルター
４  アナログ／ディジタルコンバーター
５  定義処理
６  入出力部
７  中央演算処理部
8a  数字キー記号等他
8b  機能変更キー
8c  実行キー
8d  無変換／変換キー
8e  小文字キー
９  タッチパネルディスプレイ
10  ディスプレイ
11  論理回路
12  記憶素子
13  電気製品、機械等
14  通信線
15  カーソルキー
16  電源スイッチ
17  電源電線
18  記憶素子挿入接続口
【手続補正３】
【補正対象書類名】図面
【補正対象項目名】全図
【補正方法】変更
【補正の内容】
【図１】
2005174285.tif 000001
【図２】
2005174285.tif 000002
【図３】
2005174285.tif 000003